(57)【要約】【課題】オープンシールド機の前面または上面開口より前方の土砂を掘削・排土する工程と、推進ジャッキを伸長してコンクリート函体を反力にしてシールド機を前進させる工程と、シールド機のテール部内で縮めた推進ジャッキの後方に新たなコンクリート函体を上方から吊り降ろしてセットする工程とを適宜繰り返して順次コンクリート函体を縦列に埋設し、テール部内にコンクリート函体を設置した後、テール部内面と函体外面との空隙に可塑状の裏込注入材を注入充填する一次注入工と、シールド機前進と同時にテールボイドに可塑状の裏込注入材を注入充填する作業である二次注入工を行うオープンシールド工法において、地盤が軟弱な場合でも、布設するコンクリート函体が沈下を防止できる。【解決手段】シールド機後端部に後端キーとしてテール外側面より突起を出し、シールド機を前進時に前記突起により地山に凹状の溝を付け、その凹状の溝に２次裏込注入材を充填させ、コンクリート函体と地山のフリクションを増大させる。【選択図】  図１
2018053467.tif 000002
【特許請求の範囲】
【請求項１】
オープンシールド機の前面または上面開口より前方の土砂を掘削・排土する工程と、推進ジャッキを伸長してコンクリート函体を反力にしてシールド機を前進させる工程と、シールド機のテール部内で縮めた推進ジャッキの後方に新たなコンクリート函体を上方から吊り降ろしてセットする工程とを適宜繰り返して順次コンクリート函体を縦列に埋設し、テール部内にコンクリート函体を設置した後、テール部内面と函体外面との空隙に可塑状の裏込注入材を注入充填する一次注入工と、シールド機前進と同時にテールボイドに可塑状の裏込注入材を注入充填する作業である二次注入工を行うオープンシールド工法において、シールド機後端部に後端キーとしてテール外側面より突起を出し、シールド機を前進時に前記突起により地山に凹状の溝を付け、その凹状の溝に２次裏込注入材を充填させ、コンクリート函体と地山のフリクションを増大させることを特徴としたオープンシールド工法。
【請求項２】
突起は鑿状のもので、オープンシールド機の側壁板の外側面に横向きに複数段上下間隔を存して設ける請求項１記載のオープンシールド工法。
【請求項３】
突起は鑿状のもので、オープンシールド機の底板の外面に横向きに間隔を存して設ける請求項１または請求項２記載のオープンシールド工法。
【請求項４】
コンクリート函体は左右側板外面に凹凸を形成してあり、一次注入工の裏込注入材はこの凹凸で函体と接合し、函体とのフリクションを増加させる請求項２ないし請求項３のいずれかに記載のオープンシールド工法。
【発明の詳細な説明】
【技術分野】
【０００１】
本発明は、上下水道、共同溝、電信・電話などの付設地下道等の地下構造物を市街地などに施工するオープンシールド工法に関するものである。
【背景技術】
【０００２】
オープンシールド工法は開削工法（オープンカット工法）とシールド工法の長所を活かした合理性に富む工法で、その概要を図２４に示すと、下記特許文献にもあるように、オープンシールド工法で使用するオープンシールド機１は左右の側壁板１ａと、これら側壁板１ａに連結する底板１ｂとからなる前面、後面および上面を開口したもので、前記側壁板１ａと底板１ｂの先端を刃口１１として形成し、また側壁板１ａの中央または後端近くにシールドジャッキ（推進ジャッキ）２を後方に向け上下に並べて配設する。図中３は隔壁を示す。
【特許文献１】特開２００３−４１８９６号公報
【０００３】
図示は省略するが、オープンシールド機１は機体を前後方向で複数に分割し、フロント機としての前方の機体の後端にテール機としての後方の機体の前端が嵌入して、相互の嵌合部で屈曲可能とすることもある。
【０００４】
前記フロント機は主として掘削を行うもので、前端と上面を開放面としてあり、機体内で後部に後方へ向けて中折ジャッキを左右によせて、また上下複数段に配設している。これに対してテール機はコンクリート函体４の設置を行うもので、機体内で前部に後方へ向けて推進ジャッキ(シールドジャッキ)２を左右によせて、また上下複数段に配設している。
【０００５】
かかるオープンシールド機１を使用して施工するオープンシールド工法は、発進坑内にこのオープンシールド機１を設置して、オープンシールド機１のシールドジャッキ２を伸長して発進坑内の反力壁に反力をとってオープンシールド機１を前進させ、地下構造物を形成する第１番目のコンクリート函体４を上方から吊り降ろし、オープンシールド機１のテール部１ｃ内で縮めたシールドジャッキ２の後方にセットする。シールドジャッキ２と反力壁との間にはストラットを配設して適宜間隔調整をする。
【０００６】
また、発進坑は土留壁で構成し、オープンシールド機１を発進させるにはこの土留壁を一部鏡切りするが、必要に応じて薬液注入などで発進坑の前方部分に地盤改良を施しておくこともある。
【０００７】
ショベル等の掘削機９でオープンシールド機１の前面または上面から土砂を掘削しかつ排土する。この排土工程と同時またはその後にシールドジャッキ２を伸長してオープンシールド機１を前進させる。この前進工程の場合、コンクリート函体４の前にはボックス鋼材または型鋼を用いた枠体よりなるプレスバー８を配設し、オープンシールド機１は後方にセットされたコンクリート函体４から反力をとる。
【０００８】
そして第１番目のコンクリート函体４の前に第２番目のコンクリート函体４をオープンシールド機１のテール部１ｃ内で吊り降ろす。以下、同様の排土工程、前進工程、コンクリート函体４のセット工程を適宜繰返して、順次コンクリート函体４をオープンシールド機１の前進に伴い縦列に地中に残置し、さらにこのコンクリート函体４の上面に埋戻土５を入れる。
【０００９】
なお、コンクリート函体４をオープンシールド機１のテール部１ｃ内に吊り降ろす際には、コンクリートブロック等による高さ調整材７をコンクリート函体４下に配設し、このテール部１ｃ内でコンクリート函体４の左右および下部の空隙に可塑状の裏込注入材６を充填する（一次注入工）。
【００１０】
図２６はこの一次注入工を示すもので、コンクリート函体４のグラウトホール１２を介してコンクリート函体４の内部よりテール部１ｃの内面とコンクリート函体４の外面との空隙に可塑状の裏込注入材６ａを注入ノズル１３で注入充填する。裏込注入材６ａは、Ａ液・Ｂ液の２液からなり、Ａ液は早強セメント・助材・安定材・水を混練りしたセメントミルク状であり、Ｂ液の急硬剤は低粘性の液体であり、単独で使用する。
【００１１】
施工は地上に設置した専用の裏込作液プラントでＡ液を作液し、裏込作液プラントからＡ液は２Ｂ管、Ｂ液は１Ｂ管を使用してシールド機後方まで配管し、各々圧送された２液を函体グラウトホールに取付けた特殊２重管を介し混合注入する。
【００１２】
また、図２７に示すように、推進と同時にコンクリート函体４の内部よりテールボイド（テール部底板及び側板の厚み分）に可塑状の裏込注入材６ｂを注入充填する二次注入を行う。この二次注入は前記一次注入と同様にコンクリート函体４の底版部のグラウトホール１２に注入ノズル１３を堅固に固定して行う。
【００１３】
このようにして、オープンシールド機１が到達坑まで達したならばこれを撤去して工事を完了する。
【００１４】
このようなオープンシールド工法では、前記のごとくコンクリート函体４をオープンシールド機１の前進に伴い縦列に地中に残置し、コンクリート函体４は、オープンシールド機１のテール部１ｃ内に吊り降ろされ、オープンシールド機１の前進とともに該テール部１ｃから出て地中に残されていくものであり、オープンシールド機１はこのように地中に残置したコンクリート函体４に反力をとって前進する。
【００１５】
コンクリート函体４は鉄筋コンクリート製で、図２５に示すように左側板４ａ、右側板４ｂと上床板４ｃと下床板４ｄとからなるもので、前後面を開口１０として開放されている。
【００１６】
コンクリート函体４同士の接続は、コーナー部に前後方向の貫通孔を設け、長ボルト等のＰＣ鋼棒の緊結をもって縦列に並ぶものを接続していく。
【００１７】
前記のオープンシールド工法は、ＰＣ鋼棒で函体毎に緊結すること、及び敷設されるコンクリート函体の下床板と函体両側板外周に裏込め注入材を充填することにより、敷設した函体全体がほぼ一体化した函渠構造となり、函渠の不同沈下防止が図れる。
【００１８】
また、コンクリート函体下床板と両側板外周に充填された裏込注入材と地山が密着し、敷設されるコンクリート函体の沈下抑制効果が期待できるものである。
【発明の開示】
【発明が解決しようとする課題】
【００１９】
しかし、充填された裏込注入材と地山との境界はほぼ平滑に近い状態と想定され、裏込注入材と地山との付着性能が敷設する地盤の土質性状によってはバラツキが出てくることが懸念される。
【００２０】
また、特許文献１に記載の地盤出は、裏込注入材と地山との付着性能の低下も懸念される。
【００２１】
本発明の目的は前記従来例の不都合を解消し、基礎地盤が軟弱な場合でも、敷設するコンクリート函体が地山とのフリクションの増大により沈下を確実に防止できるオープンシールド工法を提供することにある。
【課題を解決するための手段】
【００２２】
本発明は前記目的を達成するため、オープンシールド機の前面または上面開口より前方の土砂を掘削・排土する工程と、推進ジャッキを伸長してコンクリート函体を反力にしてシールド機を前進させる工程と、シールド機のテール部内で縮めた推進ジャッキの後方に新たなコンクリート函体を上方から吊り降ろしてセットする工程とを適宜繰り返して順次コンクリート函体を縦列に埋設し、テール部内にコンクリート函体を設置した後、テール部内面と函体外面との空隙に可塑状の裏込注入材を注入充填する一次注入工と、シールド機前進と同時にテールボイドに可塑状の裏込注入材を注入充填する作業である二次注入工を行うオープンシールド工法において、シールド機後端部に後端キーとしてテール外側面より突起を出し、シールド機を前進時に前記突起により地山に凹状の溝を付け、その凹状の溝に２次裏込注入材を充填させ、コンクリート函体と地山のフリクションを増大させることを要旨とするものである。
【００２３】
請求項１記載の本発明によれば、シールド機後端部に後端キーとしてテール外側面より突起を出し、シールド機を前進時に前記突起により地山に凹状の溝を付け、その凹状の溝に２次裏込注入材を充填させることで、コンクリート函体と地山との間に充填された部分の２次裏込注入材は、凸状の突起のある形状となり、地山と裏込注入材との付着面積の増加とその突起による抵抗により、敷設したコンクリート函体の沈下抑制の向上が図れることになる。
【００２４】
また、フリクションを増加させるための凹状の溝は、シールド機が前進する時に形成でき、特にそのための道具や機械等もいらないので、手間がなく行うことができる。
【００２５】
請求項２記載の本発明は、突起は鑿状のもので、オープンシールド機の側壁板の外側面に横向きに複数段上下間隔を存して設けることを要旨とするものである。
【００２６】
請求項２記載の本発明によれば、凹状の溝は矩形断面のもので、横向きにかつ上下間隔を存して複数段形成され、２次裏込注入材はここに充填させることで２次裏込としては全体として壁体に横桟が複数条形成されるようなものとなり、地山と強固に結合して裏込注入材による地山とのフリクションが増加し、函体の沈下抑制をさらに向上させることができる。
【００２７】
請求項３記載の本発明は、突起は鑿状のもので、オープンシールド機の底板の外面に横向きに間隔を存して設けることを要旨とするものである。
【００２８】
請求項３記載の本発明によれば、凹状の溝は矩形断面のもので、横向きにかつ上下間隔を存して複数段形成され、函体下床板と地山の間に充填される裏込め注入材は、凸状の突起のあるものとなり、地山と裏込注入材との付着面積がさらに増加することに加え、函体下床板下側の凸状の裏込注入材が地山を拘束し、さらに沈下抑制効果が増大する。
【００２９】
請求項４記載の本発明は、コンクリート函体は左右側板外面に凹凸を形成してあり、一次注入工の裏込注入材はこの凹凸で函体と接合し、函体とのフリクションを増加させることを要旨とするものである。
【００３０】
請求項４記載の本発明によれば、コンクリート函体は左右側板外面に凹凸を形成したことで、一次注入工の裏込注入材はこの凹凸で函体と接合し、函体とのフリクションを増加させることができ、その結果、布設函体の沈下抑制をより効果的に行うことができる。
【発明の効果】
【００３１】
以上述べたように本発明のオープンシールド工法は、基礎地盤が軟弱な場合でも、敷設するコンクリート函体が地山とのフリクションの増大により沈下を確実に防止できるものである。
【発明を実施するための形態】
【００３２】
以下、図面について本発明の実施の形態を詳細に説明する。図１は本発明のオープンシールド工法の１実施形態と示す横断平面図、図３は同上要部の部分縦断正面図で、図中１はオープンシールド機である。
【００３３】
オープンシールド機１は前記図７で説明した通りで、左右の側壁板１ａと、これら側壁板１ａに連結する底板１ｂとからなる前面、後面および上面を開口したもので、前記側壁板１ａと底板１ｂの先端を刃口１１として形成し、また側壁板１ａの中央または後端近くにシールドジャッキ２を後方に向け上下に並べて配設する。
【００３４】
本発明で使用するオープンシールド機１は図２およびシールド機の断面図である図５に示すようにシールド機１のテール部１ｃを形成する側壁板１ａの外側面後端に鑿状の突起１４を形成した。
【００３５】
鑿状の突起１４はオープンシールド機１の前進方向にテーパー先端面１４aを形成した角棒状のものがオープンシールド機１のテール部１ｃ面に取り付いたものであり、第1実施形態としては、オープンシールド機１の側壁板１ａの外側面に横向きにして複数段上下間隔を存して設けた。
【００３６】
第２実施形態としては、突起１４は鑿状のもので、オープンシールド機１の底板１ｂの外面に横向き（シールド機長さ方向）に向けて相互間隔を存して設けた。
【００３７】
第３実施形態としては、突起１４は側壁板１ａの外側面と底板１ｂの外面の双方に設ける。
【００３８】
なお、突起１４の後端部はオープンシールド機１のテール部１ｃの後端より突き出させてもよい。
【００３９】
また、本発明のオープンシールド工法も基本は図７で説明した通りであり、ショベル等の掘削機９でオープンシールド機１の前面または上面から土砂を掘削しかつ排土する。
【００４０】
この排土工程と同時またはその後にシールドジャッキ２を伸長してオープンシールド機１を前進させる。
【００４１】
この前進工程の場合、コンクリート函体４の前にはボックス鋼材または型鋼を用いた枠体よりなるプレスバー８を配設し、オープンシールド機１は後方にセットされたコンクリート函体４から反力をとる。
【００４２】
そして既設のコンクリート函体４の前に新たなコンクリート函体４をオープンシールド機１のテール部１ｃ内で吊り降ろす。
【００４３】
以下、同様の排土工程、前進工程、コンクリート函体の４のセット工程を適宜繰返して、順次コンクリート函体４をオープンシールド機１の前進に伴い縦列に地中に残置し、さらにこのコンクリート函体４の上面に埋戻土５を入れる。
【００４４】
なお、コンクリート函体４をオープンシールド機１のテール部１ｃ内に吊り降ろす際には、このテール部１ｃ内でコンクリート函体４の左右および下部の空隙に裏込注入材６を充填する。
【００４５】
このようにして、オープンシールド機１が到達坑まで達したならばこれを撤去して工事を完了する。
【００４６】
オープンシールド機１は前記前進の際に突起１４が地盤を櫛り、地山に凹状の溝１５を水平方向に付ける。その際、突起１４のテーパー先端面１４ａにより地山にきれいな溝１５が形成される。
【００４７】
前記裏込注入材６の注入はコンクリート函体４をオープンシールド機１のテール部１ｃ内に吊り降ろした時に行なう一次注入工と、オープンシールド機１の推進と同時にコンクリート函体４の内部よりテールボイド（テール部底板及び側板の厚み分）に注入行う二次注入に分かれるが、二次注入の可塑状の裏込注入材６ｂは、前記地山に付けた凹状の溝１５内にも充填されて硬化する。
【００４８】
図７〜図１０は本発明の第２実施形態を示すもので、コンクリート函体４は前記図２５で説明したように鉄筋コンクリート製で、左側板４ａ、右側板４ｂと上床板４ｃと下床板４ｄとからなるもので、前後面を開口１０として開放されているが、左側板４ａ、右側板４ｂの外面に凹凸を形成した。
【００４９】
この凹凸は本実施形態ではコンクリート函体４の前後方向に伸びる横桟状の凸条１６aとその間の断面矩形の溝条１６ｂの交互並びとした。
【００５０】
図１１に示すように、横桟状の凸条１６aの高さをｈ、幅をｔ、溝条１６ｂの幅をｌとした場合、ｔ≒ｈ×√２、ｌ≒ｔ×１．５となる。
【００５１】
この凹凸はコンクリート函体４を型枠成形する際に一体的に成形することができる。
【００５２】
また、図９に示すように、コンクリート函体４の下床板４ｄの下側面にも断面矩形横桟状の凸条１６aとその間の断面矩形の溝条１６ｂの交互並びとした凹凸を形成してもよい。
【００５３】
図１２〜図１４は凹凸の第２実施形態を示すもので、横桟状の凸条１７aとその間の溝条１７ｂは断面矩形ではなく断面台形とした。
【００５４】
図１５〜図１７は凹凸の第３実施形態を示すもので、三角形状の山１８aと谷１８ｂの連続波状とした。
【００５５】
図１８〜図２０は凹凸の第４実施形態を示すもので、不陸による粗面として梨地１９とした。
【００５６】
図２１〜図２３は凹凸の第５実施形態を示すもので、凸は円形の突起２０aを点在させたものであり、凹はこの円形の突起２０a間（左側板４ａ、右側板４ｂの外表面）であるとした。
【００５７】
このように本発明の第２実施形態では、前記第１実施形態のシールド機を前進時に前記突起により地山に凹状の溝を付け、その凹状の溝に２次裏込注入材を充填させることで、コンクリート函体と地山との間に充填された部分の２次裏込注入材は、凸状の突起のある形状となり、地山と裏込注入材との付着面積の増加とその突起による抵抗により、敷設したコンクリート函体の沈下抑制の向上が図れるようにしたことに加えて、コンクリート函体は左右側板外面に凹凸を形成したことで、一次注入工の裏込注入材はこの凹凸で函体と接合し、函体とのフリクションを増加させることができ、その結果、布設函体の沈下抑制を行うことができる。
【図面の簡単な説明】
【００５８】
【図１】本発明のオープンシールド工法の第１実施形態と示す横断平面図である。
【図２】本発明のオープンシールド工法で使用するオープンシールド機の後端部分の斜視図である。
【図３】本発明のオープンシールド工法の第１実施形態と示す部分縦断正面図である。
【図４】本発明のオープンシールド工法の第１実施形態と示す縦断側面図である。
【図５】本発明のオープンシールド工法で使用するオープンシールド機の縦断正面図である。
【図６】本発明のオープンシールド工法の第１実施形態と示す全体の縦断正面図である。
【図７】本発明のオープンシールド工法の第２実施形態と示す縦断正面図である。
【図８】本発明のオープンシールド工法の第２実施形態で使用するコンクリート函体の第１例を示す正面図である。
【図９】本発明のオープンシールド工法の第２実施形態で使用するコンクリート函体の第１例を示す正面図である。
【図１０】本発明のオープンシールド工法の第２実施形態で使用するコンクリート函体の第１例を示す側面図である。
【図１１】本発明のオープンシールド工法の第２実施形態で使用するコンクリート函体の第１例の凹凸の説明図である。
【図１２】本発明のオープンシールド工法の第２実施形態で使用するコンクリート函体の第２例を示す正面図である。
【図１３】本発明のオープンシールド工法の第２実施形態で使用するコンクリート函体の第２例を示す斜視図である。
【図１４】本発明のオープンシールド工法の第２実施形態で使用するコンクリート函体の第２例を示す側面図である。
【図１５】本発明のオープンシールド工法の第２実施形態で使用するコンクリート函体の第３例を示す正面図である。
【図１６】本発明のオープンシールド工法の第２実施形態で使用するコンクリート函体の第３例を示す斜視図である。
【図１７】本発明のオープンシールド工法の第２実施形態で使用するコンクリート函体の第３例を示す側面図である。
【図１８】本発明のオープンシールド工法の第２実施形態で使用するコンクリート函体の第４例を示す正面図である。
【図１９】本発明のオープンシールド工法の第２実施形態で使用するコンクリート函体の第４例を示す斜視図である。
【図２０】本発明のオープンシールド工法の第２実施形態で使用するコンクリート函体の第４例を示す側面図である。
【図２１】本発明のオープンシールド工法の第２実施形態で使用するコンクリート函体の第５例を示す正面図である。
【図２２】本発明のオープンシールド工法の第２実施形態で使用するコンクリート函体の第５例を示す斜視図である。
【図２３】本発明のオープンシールド工法の第２実施形態で使用するコンクリート函体の第５例を示す側面図である。
【図２４】オープンシールド工法の概略を示す縦断側面図である。
【図２５】コンクリート函体の斜視図である。
【図２６】裏込注入材（一次注入工）を示す説明図である。
【図２７】裏込注入材（二次注入工）を示す説明図である。
【符号の説明】
【００５９】
１…オープンシールド機
１ａ…側壁板                    １ｂ…底板
１ｃ…テール部                  ２…推進ジャッキ（シールドジャッキ）
３…隔壁                        ４…コンクリート函体
４ａ…左側板                    ４ｂ…右側板
４ｃ…上床板                    ４ｄ…下床板
５…埋戻土                      ６，６ａ，６ｂ…裏込注入材
７…高さ調整材                  ８…プレスバー
９…掘削機                      １０…開口
１１…刃口                      １２…グラウトホール
１３…注入ノズル                １４…突起
１４ａ…テーパー先端面          １５…溝
１６a…横桟状の凸条            １６ｂ…溝条
１７a…横桟状の凸条            １７ｂ…溝条
１８a…山                      １８ｂ…谷
１９…梨地                      ２０a…円形の突起
【図１】
2018053467.tif 000003
【図２】
2018053467.tif 000004
【図３】
2018053467.tif 000005
【図４】
2018053467.tif 000006
【図５】
2018053467.tif 000007
【図６】
2018053467.tif 000008
【図７】
2018053467.tif 000009
【図８】
2018053467.tif 000010
【図９】
2018053467.tif 000011
【図１０】
2018053467.tif 000012
【図１１】
2018053467.tif 000013
【図１２】
2018053467.tif 000014
【図１３】
2018053467.tif 000015
【図１４】
2018053467.tif 000016
【図１５】
2018053467.tif 000017
【図１６】
2018053467.tif 000018
【図１７】
2018053467.tif 000019
【図１８】
2018053467.tif 000020
【図１９】
2018053467.tif 000021
【図２０】
2018053467.tif 000022
【図２１】
2018053467.tif 000023
【図２２】
2018053467.tif 000024
【図２３】
2018053467.tif 000025
【図２４】
2018053467.tif 000026
【図２５】
2018053467.tif 000027
【図２６】
2018053467.tif 000028
【図２７】
2018053467.tif 000029